(57)【特許請求の範囲】
【請求項１】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段および前記循環ファンと前記ミストノズルと前記ルーバとを制御する制御装置を備えたサウナ装置のルーバ制御方法であって、前記制御装置は運転開始時において、前記ルーバを入浴者がミストの噴射の影響を受けない開度で固定させ、前記浴室内温度より決定した時間前記ミストノズルからの噴射および前記循環ファンの駆動を行なった後に前記ルーバを可変することを特徴とするサウナ装置のルーバ制御方法。
【請求項２】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段および前記循環ファンと前記ミストノズルと前記ルーバとを制御する制御装置を備えたサウナ装置のルーバ制御方法であって、前記制御装置は運転開始時において、前記ルーバを入浴者がミストの噴射の影響を受けない開度で固定させ、前記浴室内温度より決定した時間前記ミストノズルからの噴射および前記循環ファンの駆動を行なった後に前記ルーバを可変にし、運転時において、浴室内温度が予め設定された温度より低い場合にも前記ルーバを入浴者がミストの噴射の影響を受けない開度に固定することを特徴としたサウナ装置のルーバ制御方法。
【請求項３】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と前記ミストノズルの噴射温度
を検出するミストノズル噴射温度検出手段および前記循環ファンと前記ミストノズルとを制御する制御装置を備えたサウナ装置のルーバ制御方法であって、前記制御装置は運転時において、前記ミストノズル噴射温度が予め設定された温度範囲外となった場合に前記ルーバを入浴者がミストの噴射の影響を受けない開度に固定することを特徴とするサウナ装置のルーバ制御方法。
【請求項４】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と前記ミストノズルの温度を検出するミストノズル温度検出手段および前記循環ファンと前記ミストノズルと前記ルーバとを制御する制御装置を備えたサウナ装置のルーバ制御方法であって、前記制御装置は運転時において、前記ミストノズル温度が予め設定された温度範囲外となった場合に前記ルーバを入浴者がミストの噴射の影響を受けない開度に固定することを特徴とするサウナ装置のルーバ制御方法。
【請求項５】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの噴射温度を検出するミストノズル噴射温度検出手段および前記循環ファンと前記ミストノズルとを制御する制御装置を備えたサウナ装置のルーバ制御方法であって、前記制御装置は運転時において、前記ミストノズル噴射温度が予め設定された温度範囲外となった場合に前記ルーバを入浴者がミストの噴射の影響を受けない開度に固定し、浴室内温度により入浴者がミストの噴射を受けても肌寒さや不快感を感じないミストノズル噴射温度の設定温度範囲を変更することを特徴とするサウナ装置のルーバ制御方法。
【請求項６】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの温度を検出するミストノズル温度検出手段および前記循環ファンと前記ミストノズルとを制御する制御装置を備えたサウナ装置のルーバ制御方法であって、前記制御装置は運転時において、前記ミストノズル温度が予め設定された温度範囲外となった場合に前記ルーバを入浴者がミストの噴射の影響を受けない開度に固定し、浴室内温度によりミストノズル温度の設定温度範囲を変更することを特徴とするサウナ装置のルーバ制御方法。
【請求項７】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの噴射温度を検出するミストノズル噴射温度検出手段および前記循環ファンと前記ミストノズルとを制御する制御装置を備えたサウナ装置のルーバ制御方法であって、前記制御装置は運転時において、前記ミストノズル噴射温度が予め設定された温度範囲外となった場合に前記ルーバを入浴者がミストの噴射の影響を受けない開度に固定することを特徴とする請求項１または２記載のサウナ装置のルーバ制御方法。
【請求項８】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの温度を検出するミストノズル温度検出手段および前記循環ファンと前記ミストノズルと前記ルーバとを制御する制御装置を備えたサウナ装置のルーバ制御方法であって、前記制御装置は運転時において、前記ミストノズル温度が予め設定された温度範囲外となった場合に前記ルーバを入浴者がミストの噴射の影響を受けない開度に固定することを特徴とする請求項１または２記載のサウナ装置のルーバ制御方法。
【請求項９】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの噴射温度を検出するミストノズル噴射温度検出手段および前記循環ファンと前記ミストノズルとを制御する制御装置を備えたサウナ装置のルーバ制御方法であって、前記制御装置は運転時において、前記ミストノズル噴射温度が予め設定された温度範囲外となった場合に前記ルーバを入浴者がミストの噴射の影響を受けない開度に固定し、浴室内温度により入浴者がミストの噴射を受けても肌寒さや不快感を感じないミストノズル噴射温度の設定温度範囲を変更することを特徴とする請求項１または２記載のサウナ装置のルーバ制御方法。
【請求項１０】
浴室内の空気を循環する循環ファンと前記循環ファンにより生成される循環空気を加熱する加熱手段と前記循環ファンの吹出口に設けた温水または水を噴射するミストノズルと前記循環空気の吹出し方向を可変できるルーバと設定操作部と浴室内の空気の温度を検出する浴室内温度検出手段と前記ミストノズルの噴射温度を検出するミストノズル噴射温度検出手段および前記循環ファンと前記ミストノズルとを制御する制御装置を備えたサウナ装置のルーバ制御方法であって、前記制御装置は運転時において、前記ミストノズル温度が予め設定された温度範囲外となった場合に前記ルーバを入浴者がミストの噴射の影響を受けない開度に固定し、浴室内温度によりミストノズル温度の設定温度範囲を変更することを特徴とする請求項１または２記載のサウナ装置のルーバ制御方法。
【発明の詳細な説明】
【技術分野】
【０００１】
本発明は、浴室内を高温高湿なサウナ空間にするサウナ装置のルーバ制御方法に関する。
【背景技術】
【０００２】
従来、この種のサウナ装置のルーバ制御方法の一例として、浴室の天井に設置し浴室をサウナ室とするミスト装置が知られている（例えば特許文献１参照）。
【０００３】
特許文献１に示すものは浴室暖房装置の吸気口の側方にミスト噴出部を設けたものである。
【０００４】
また、他のサウナ装置のルーバ制御方法の一例として、浴室にミストノズルユニットを設置するミスト式浴室暖房装置も知られている（例えば特許文献２参照）。
【特許文献１】特開２００２−３３６３２７号公報
【特許文献２】特開平６−８８６２９号公報
【発明の開示】
【発明が解決しようとする課題】
【０００５】
ミストノズルを加熱空気の吹き出し口に設けることでミストは高温に加熱され、微細化され温湿度が均一なサウナ空間を得ることができるが、浴室内温度が低い場合やミストノズルからの噴射温度が適温でない場合、直接入浴者にミストを噴射すると肌寒さを感じたり不快感を与える課題がある。
【０００６】
本発明は、この課題を解決するものであり、肌寒さや不快な気流感を与えることなく快適なミストサウナ空間を創り出すサウナ装置のルーバ制御方法を提供することを目的としている。
【課題を解決するための手段】
【０００９】
本発明のサウナ装置のルーバ制御方法は上記目的を達成するために、本発明のサウナ装置のルーバ制御方法は上記目的を達成するために、運転開始時において、ルーバを入浴者がミストの噴射の影響を受けない開度で固定させ、浴室内温度より決定した時間ミストノズルからの噴射および循環ファンの駆動を行なった後にルーバを可変することを特徴とするようにしたものである。
【００１０】
このことにより、肌寒さや不快な気流感を与えることなく快適なミストサウナ空間を創ることができるサウナ装置のルーバ制御方法を提供できる。
【００１５】
また、本発明のサウナ装置のルーバ制御方法は上記目的を達成するために、運転開始時において、ルーバを所定の角度で固定させ、浴室内温度より決定した時間ミストノズルからの噴射および循環ファンの駆動を行なった後にルーバを可変にし、運転時において、浴室内温度が予め設定された温度より低い場合にもルーバを入浴者がミストの噴射の影響を受けない開度に固定するようにしたものである。
【００１６】
このことにより、肌寒さや不快な気流感を与えることなく快適なミストサウナ空間を創ることができるサウナ装置のルーバ制御方法を提供できる。
【００１７】
また、本発明のサウナ装置のルーバ制御方法は上記目的を達成するために、運転時において、ミストノズル噴射温度が予め設定された温度範囲外となった場合にルーバを入浴者がミストの噴射の影響を受けない開度に固定するようにしたものである。
【００１８】
このことにより、肌寒さや不快な気流感を与えることなく快適なミストサウナ空間を創ることができるサウナ装置のルーバ制御方法を提供できる。
【００１９】
また、本発明のサウナ装置のルーバ制御方法は上記目的を達成するために、運転時において、ミストノズル温度が予め設定された温度範囲外となった場合にルーバを入浴者がミストの噴射の影響を受けない開度に固定するようにしたものである。
【００２０】
このことにより、肌寒さや不快な気流感を与えることなく快適なミストサウナ空間を創ることができるサウナ装置のルーバ制御方法を提供できる。
【００２１】
また、本発明のサウナ装置のルーバ制御方法は上記目的を達成するために、運転時において、ミストノズル噴射温度が予め設定された温度範囲外となった場合にルーバを入浴者がミストの噴射の影響を受けない開度に固定し、浴室内温度により入浴者がミストの噴射を受けても肌寒さや不快感を感じないミストノズル噴射温度の設定温度範囲を変更することを特徴とするようにしたものである。
【００２２】
このことにより、肌寒さや不快な気流感を与えることなく快適なミストサウナ空間を創ることができるサウナ装置のルーバ制御方法を提供できる。
【００２３】
また、本発明のサウナ装置のルーバ制御方法は上記目的を達成するために、運転時において、ミストノズル温度が予め設定された温度範囲外となった場合にルーバを入浴者がミストの噴射の影響を受けない開度に固定し、浴室内温度により入浴者がミストの噴射を受けても肌寒さや不快感を感じないミストノズル温度の設定温度範囲を変更するようにしたものである。
【００２４】
このことにより、肌寒さや不快な気流感を与えることなく快適なミストサウナ空間を創ることができるサウナ装置のルーバ制御方法を提供できる。
【００２５】
また、本発明のサウナ装置のルーバ制御方法は上記目的を達成するために、運転時において、ミストノズル噴射温度が予め設定された温度範囲外となった場合にルーバを入浴者がミストの噴射の影響を受けない開度に固定し、さらに請求項１または２記載動作をするようにしたものである。
【００２６】
このことにより、肌寒さや不快な気流感を与えることなく快適なミストサウナ空間を創ることができるサウナ装置のルーバ制御方法を提供できる。
【００２７】
また、本発明のサウナ装置のルーバ制御方法は上記目的を達成するために、運転時において、ミストノズル温度が予め設定された温度範囲外となった場合にルーバを入浴者がミストの噴射の影響を受けない開度に固定し、さらに請求項１または２記載の動作をするようにしたものである。
【００２８】
このことにより、肌寒さや不快な気流感を与えることなく快適なミストサウナ空間を創ることができるサウナ装置のルーバ制御方法を提供できる。
【００２９】
また、本発明のサウナ装置のルーバ制御方法は上記目的を達成するために、運転時において、ミストノズル噴射温度が予め設定された温度範囲外となった場合にルーバを入浴者がミストの噴射の影響を受けない開度に固定し、浴室内温度によりミストノズル噴射温度の設定温度範囲を変更し、さらに請求項１または２記載の動作をするようにしたものである。
【００３０】
このことにより、肌寒さや不快な気流感を与えることなく快適なミストサウナ空間を創ることができるサウナ装置のルーバ制御方法を提供できる。
【００３１】
また、本発明のサウナ装置のルーバ制御方法は上記目的を達成するために、運転時において、ミストノズル温度が予め設定された温度範囲外となった場合にルーバを入浴者がミストの噴射の影響を受けない開度に固定し、浴室内温度によりミストノズル温度の設定温度範囲を変更し、さらに請求項１または２記載の動作をするようにしたものである。
【００３２】
このことにより、肌寒さや不快な気流感を与えることなく快適なミストサウナ空間を創ることができるサウナ装置のルーバ制御方法を提供できる。
【発明の効果】
【００３３】
本発明によれば、肌寒さや不快な気流感を与えることなく浴室内を快適なミストサウナ空間にすることができる。
【発明を実施するための最良の形態】
【００３５】
本発明の請求項１記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段および循環ファンとミストノズルとルーバとを制御する制御装置を備えたサウナ装置のルーバ制御方法であって、制御装置は運転開始時において、ルーバを入浴者がミストの噴射の影響を受けない開度で固定させ、浴室内温度より決定した時間ミストノズルからの噴射および循環ファンの駆動を行なった後にルーバを可変することを特徴としたものであり、運転初期の浴室内温度による体感を考慮した時間で制御できる。
【００３８】
本発明の請求項２記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段および循環ファンとミストノズルとルーバとを制御する制御装置を備えたサウナ装置のルーバ制御方法であって、制御装置は運転開始時において、ルーバを入浴者がミストの噴射の影響を受けない開度で固定させ、浴室内温度より決定した時間ミストノズルからの噴射および循環ファンの駆動を行なった後にルーバを可変にし、運転時において、浴室内温度が予め設定された温度より低い場合にもルーバを入浴者がミストの噴射の影響を受けない開度に固定することを特徴としたものである。
【００３９】
本発明の請求項３記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部とミストノズルの噴射温度を検出するミストノズル噴射温度検出手段および循環ファンとミストノズルとを制御する制御装置を備えたサウナ装置のルーバ制御方法であって、制御装置は運転時において、ミストノズル噴射温度が予め設定された温度範囲外となった場合にルーバを入浴者がミストの噴射の影響を受けない開度に固定することを特徴としたものであり、ミストノズル噴射温度の変動による不快感を与えることなく浴室内を快適なミストサウナ空間にすることができる。
【００４０】
本発明の請求項４記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部とミストノズルの温度を検出するミストノズル温度検出手段および循環ファンとミストノズルとルーバとを制御する制御装置を備えたサウナ装置のルーバ制御方法であって、制御装置は運転時において、ミストノズル温度が予め設定された温度範囲外となった場合にルーバを入浴者がミストの噴射の影響を受けない開度に固定することを特徴としたものであり、ミストノズルの温度によりミストノズルの噴射温度を容易に判断することができる。
【００４１】
本発明の請求項５記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの噴射温度を検出するミストノズル噴射温度検出手段および循環ファンとミストノズルとを制御する制御装置を備えたサウナ装置のルーバ制御方法であって、制御装置は運転時において、ミストノズル噴射温度が予め設定された温度範囲外となった場合にルーバを入浴者がミストの噴射の影響を受けない開度に固定し、浴室内温度により入浴者がミストの噴射を受けても肌寒さや不快感を感じないミストノズル噴射温度の設定温度範囲を変更することを特徴としたものであり、ミストノズル温度の変動による不快感を与えることなく、浴室内温度による体感をも考慮し浴室内を快適なミストサウナ空間にすることができる。
【００４２】
本発明の請求項６記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの温度を検出するミストノズル温度検出手段および循環ファンとミストノズルとを制御する制御装置を備えたサウナ装置のルーバ制御方法であって、制御装置は運転時において、ミストノズル温度が予め設定された温度範囲外となった場合にルーバを入浴者がミストの噴射の影響を受けない開度に固定し、浴室内温度によりミストノズル温度の設定温度範囲を変更することを特徴としたものであり、ミストノズルの温度により入浴者がミストの噴射を受けても肌寒さや不快感を感じないミストノズルの温度を容易に判断することができる。
【００４３】
本発明の請求項７記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの噴射温度を検出するミストノズル噴射温度検出手段および循環ファンとミストノズルとを制御する制御装置を備えたサウナ装置のルーバ制御方法であって、制御装置は運転時において、ミストノズル噴射温度が予め設定された温度範囲外となった場合にルーバを入浴者がミストの噴射の影響を受けない開度に固定し、さらに請求項１または２記載の動作を行うことを特徴としている。
【００４４】
本発明の請求項８記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの温度を検出するミストノズル温度検出手段および循環ファンとミストノズルとルーバとを制御する制御装置を備えたサウナ装置のルーバ制御方法であって、制御装置は運転時において、ミストノズル温度が予め設定された温度範囲外となった場合にルーバを入浴者がミストの噴射の影響を受けない開度に固定し、さらに請求項１または２記載の動作を行うことを特徴としている。
【００４５】
本発明の請求項９記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの噴射温度を検出するミストノズル噴射温度検出手段および循環ファンとミストノズルとを制御する制御装置を備えたサウナ装置のルーバ制御方法であって、制御装置は運転時において、ミストノズル噴射温度が予め設定された温度範囲外となった場合にルーバを入浴者がミストの噴射の影響を受けない開度に固定し、浴室内温度により入浴者がミストの噴射を受けても肌寒さや不快感を感じないミストノズル噴射温度の設定温度範囲を変更することを特徴とし、さらに請求項１または２記載の動作を行うことを特徴としている。
【００４６】
本発明の請求項１０記載の発明は、浴室内の空気を循環する循環ファンと、循環ファンにより生成される循環空気を加熱する加熱手段と循環ファンの吹出口に設けた温水または水を噴射するミストノズルと循環空気の吹出し方向を可変できるルーバと設定操作部と浴室内の空気の温度を検出する浴室内温度検出手段とミストノズルの温度を検出するミストノズル温度検出手段および循環ファンとミストノズルとを制御する制御装置を備えたサウナ装置のルーバ制御方法であって、制御装置は運転時において、ミストノズル温度が予め設定された温度範囲外となった場合にルーバを入浴者がミストの噴射の影響を受けない開度に固定し、浴室内温度により入浴者がミストの噴射を受けても肌寒さや不快感を感じないミストノズル温度の設定温度範囲を変更することを特徴とし、さらに請求項１または２記載の動作を行うことを特徴としている。
【００４７】
以下、本発明の実施の形態について図面を参照しながら説明する。
【００４８】
（実施の形態１）
図１は本発明の実施の形態１のサウナ装置のルーバ制御方法の全体構成を示す図である。図において、天井１０に取り付けられるケーシング２０に取り付けられたグリル３０とで閉じた空間を構成している。
【００４９】
グリル３０には吸入口３１が設けられており、さらにフィルタ３２が装着されている。
【００５０】
前述空間内に熱交換器４０と循環モータ５０（図示せず）とこれにより駆動される循環ファン５１、ルーバ６１が設けられている。
【００５１】
ルーバ６１が点線示のように開放状態で循環ファン５１が回転すると循環流６２が発生し、浴室内の空気は加熱手段としての熱交換器４０で加熱される、いわゆる浴室暖房装置の機能が発揮できる構造になっている。
【００５２】
この循環流６２の出口に給水管７０から供給される温水もしくは水を給水弁７１で制御してミストを下方の浴室内に噴射するミストノズル７２が設けられている。
【００５３】
また、ケーシング２０には制御装置９０が取り付けられている。
【００５４】
図２は図１のミストノズル７２とルーバ６１の動作を説明するための図である。
【００５５】
図２で７２ａ、７２ｂはミストの噴射域を示す。この噴射域は循環流６２の吹き出し方向の影響を受け、図ではやや左方に偏向されている。
【００５６】
ルーバ６１は閉止の状態から反時計方向に回動し、開度θ１は噴射されたミストがルーバ６１に当接することがなく、循環流６２の吹き出し方向が最も水平方向に近くなる開度を示しており、入浴者がミストの噴射の影響を最も受けない開度である。たとえば本実施の形態でのθ１は３８度である。また、開度θ２はサウナ運転における所定の開度を示しており、本実施の形態では４５度〜１１０度の範囲で任意の開度に設定可能としている。
【００５７】
図３は電気系の構成を示す図である。
【００５８】
図３で制御装置９０はＣＰＵ９１を中心に構成されており、ＣＰＵ９１の出力側に循環モータ５０を駆動するための駆動回路９２とルーバ６１の回動を制御するための駆動回路９３が接続されている。また、給水弁７１もＣＰＵ９１により継電器などを介して制御されるが継電器は図示を省略している。
【００５９】
また、熱交換器４０の制御についても図示を省略している。
【００６０】
一方、ＣＰＵ９１の入力側には、前述した暖房やサウナなどのサウナ装置のルーバ制御方法の運転モード、ルーバ６１の目標開度を設定し、かつ発停を操作する設定操作部９６が接続されている。
【００６１】
なお、以下に説明する制御装置９０の動作は、ＣＰＵ９１内のマイコンとＲＯＭ、ＲＡＭとが共働するプログラムの形態で実施される。このことは、後述の実施の形態についても同様である。
【００６２】
以上の構成において、図１〜図３を参照しながら、サウナ装置のルーバ制御方法の動作について図４を用いて説明する。
【００６３】
図４は循環ファン５１とミストノズル７２とルーバ６１の動作を説明するためのフローチャートである。
【００６４】
設定操作部９６でサウナモードが選択され、運転開始のスイッチが押されると、ステップ（以下Ｓで略記）１において、ルーバ６１を開度θ１にて固定させる。次にＳ２で循環ファン５１を駆動し、Ｓ３で給水弁７１を駆動してミストノズル７２からミストを噴射する。次にＳ４においてサウナ運転が開始されてから一定時間経過したかをチェックする。一定時間経過していない場合、ルーバ６１はそのままの開度θ１を維持し一定時間経過するのを待つ。Ｓ４で一定時間経過したらＳ５においてルーバ６１を開度θ２とする。
【００６５】
以上の動作により、運転初期においてルーバ６１を入浴者がミストの噴射の影響を最も受けない開度であるθ１にてミスト噴射を行うことができるので肌寒さや不快な気流感を与えることなく浴室内を快適なミストサウナ空間にすることができる。
【００６６】
なお、本実施例における一定時間は浴室内温度に関わらず入浴者がミストの噴射を受けても肌寒さや不快な気流感を感じないミストサウナ空間が整うのに必要な時間であり、本実施の形態では１２分としている。
【００６７】
（実施の形態２）
実施の形態１と同一部分は同一番号を附し、詳細な説明は省略する。本実施の形態２を図５および図６を用いて説明する。図５は本発明の実施の形態２における電気系の構成を示す図である。図５は実施の形態１で説明した図３に浴室内の温度を検出する浴室内温度検出手段９７を設けたものである。浴室内温度検出手段９７としては、浴室内の温度が検出できれば良く、例えば、サーミスタなどがある。
【００６８】
以上の構成で図６を用いて制御装置９０の動作を説明する。図６は循環ファン５１とミストノズル７２とルーバ６１の動作を説明するためのフローチャートである。
【００６９】
設定操作部９６でサウナモードが選択され、運転開始のスイッチが押されると、Ｓ１１において、ルーバ６１を開度θ１にて固定させる。次にＳ１２で循環ファン５１を駆動し、Ｓ１３で給水弁７１を駆動してミストノズル７２からミストを噴射する。次にＳ１４において表１を利用して浴室内温度検出手段９７により検出した浴室内温度に応じて、入浴者がミストの噴射を受けても肌寒さや不快な気流感を感じないミストサウナ空間が整うのに必要な時間Ｔｎを選択する。Ｓ１５においてサウナ運転が開始されてからＴｎ時間経過したかをチェックする。Ｔｎ時間経過していない場合、ルーバ６１はそのままの開度θ１を維持しＴｎ時間経過するのを待つ。Ｓ１５でＴｎ時間経過したらＳ１６においてルーバ６１を所定の開度θ２する。
【００７０】
ルーバ６１は閉止の状態から反時計方向に回動し、開度θ１は噴射されたミストがルーバ６１に当接することがなく、循環流６２の吹き出し方向が最も水平方向に近くなる開度を示しており、入浴者がミストの噴射の影響を最も受けない開度である。たとえば本実施の形態でのθ１は３８度である。また、開度θ２はサウナ運転における所定の開度を示しており、本実施の形態では４５度〜１１０度の範囲で任意の開度に設定可能としている。
【００７１】
以上の動作により、運転初期においてルーバ６１を入浴者がミストの噴射の影響を最も受けない開度であるθ１にてミスト噴射を行うことができるので肌寒さや不快な気流感を与えることなく浴室内を快適なミストサウナ空間にすることができる。また、浴室内温度によりＴｎを可変することができるので、Ｔｎを最小限にすることができる。表１に、浴室内温度とミストサウナ空間が整うのに必要な時間Ｔｎの関係を示す。
【００７２】
【表１】
0004720485.tif 000002
【００７３】
（実施の形態３）
実施の形態１と同一部分は同一番号を附し、詳細な説明は省略する。本実施の形態３を図７を用いて説明する。電気系の構成図は図５と同じであるので説明は省略する。以上の構成で図７を用いて制御装置９０の動作を説明する。
【００７４】
図７は循環ファン５１とミストノズル７２とルーバ６１の動作を説明するためのフローチャートである。
【００７５】
設定操作部９６でサウナモードが選択され、運転開始のスイッチが押されると、Ｓ２１において、ルーバ６１を開度θ１にて固定させる。次にＳ２２で循環ファン５１を駆動し、Ｓ２３で給水弁７１を駆動してミストノズル７２からミストを噴射する。次にＳ２４において浴室内温度検出手段９７により検出した浴室内温度と予め記憶した規定温度ｔとを比較し浴室内温度＜ｔであればＳ２５にてルーバ６１を開度θ１とし、浴室内温度≧ｔであればＳ２６にてルーバ６１を開度θ２とする。浴室内温度検出手段９７としては、浴室内の温度が検出できれば良く、例えば、サーミスタなどがある。
【００７６】
以上の動作により、浴室内温度が低温時においてルーバ６１を入浴者がミストの噴射の影響を最も受けない開度であるθ１にてミスト噴射を行うことができるので、運転初期にかかわらず肌寒さや不快な気流感を与えることなく浴室内を快適なミストサウナ空間にすることができる。
【００７７】
なお、本実施例における規定温度ｔは入浴者がミストの噴射を受けても肌寒さや不快な気流感を感じない温度であり、本実施の形態では３０℃としている。
【００７８】
（実施の形態４）
実施の形態１〜３と同一部分は同一番号を附し、詳細な説明は省略する。この実施の形態におけるサウナ装置のルーバ制御方法の全体構成は図１と同じであり、電気系の構成図は図５と同じであるので説明は省略する。
【００７９】
以上の構成で図８を用いて制御装置９０の動作を説明する。
【００８０】
図８は循環ファン５１とミストノズル７２とルーバ６１の動作を説明するためのフローチャートである。
【００８１】
設定操作部９６でサウナモードが選択され、運転開始のスイッチが押されると、Ｓ３１において、ルーバ６１を開度θ１にて固定させる。次にＳ３２で循環ファン５１を駆動し、Ｓ３３で給水弁７１を駆動してミストノズル７２からミストを噴射する。次にＳ３４においてサウナ運転が開始されてから一定時間経過したかをチェックする。一定時間経過していない場合、ルーバ６１はそのままの開度θ１を維持し一定時間経過するのを待つ。Ｓ３４で一定時間経過したらＳ３５において浴室内温度検出手段９７により検出した浴室内温度と予め記憶した規定温度ｔとを比較し浴室内温度＜ｔであればＳ３６にてルーバ６１を開度θ１とし、浴室内温度≧ｔであればＳ３７にてルーバ６１を開度θ２とする。
【００８２】
以上の動作により、運転初期においてルーバ６１を入浴者がミストの噴射の影響を最も受けない開度であるθ１にてミスト噴射を行うことができるので肌寒さや不快な気流感を与えることがない。また、浴室内温度が低温時においてルーバ６１を入浴者がミストの噴射の影響を最も受けない開度であるθ１にてミスト噴射を行うことができるので、運転初期にかかわらず肌寒さや不快な気流感を与えることなく浴室内を快適なミストサウナ空間にすることができる。
【００８３】
なお、本実施例における一定時間は浴室内温度に関わらず入浴者がミストの噴射を受けても肌寒さや不快な気流感を感じないミストサウナ空間が整うのに必要な時間であり、本実施の形態では１２分としている。また、本実施例における規定温度ｔは入浴者がミストの噴射を受けても肌寒さや不快な気流感を感じない温度であり、本実施の形態では３０℃としている。
【００８４】
（実施の形態５）
実施の形態１〜４と同一部分は同一番号を附し、詳細な説明は省略する。この実施の形態におけるサウナ装置のルーバ制御方法の全体構成は図１と同じであり、電気系の構成図は図５と同じであるので説明は省略する。
【００８５】
以上の構成で図９を用いて制御装置９０の動作を説明する。
【００８６】
図９は循環ファン５１とミストノズル７２とルーバ６１の動作を説明するためのフローチャートである。
【００８７】
設定操作部９６でサウナモードが選択され、運転開始のスイッチが押されると、Ｓ４１において、ルーバ６１を開度θ１にて固定させる。次にＳ４２で循環ファン５１を駆動し、Ｓ４３で給水弁７１を駆動してミストノズル７２からミストを噴射する。Ｓ４４において表１を利用して浴室内温度検出手段９７により検出した浴室内温度より入浴者がミストの噴射を受けても肌寒さや不快な気流感を感じないミストサウナ空間が整うのに必要な時間Ｔｎを選択する。Ｓ４５においてサウナ運転が開始されてからＴｎ時間経過したかをチェックする。Ｔｎ時間経過していない場合、ルーバ６１はそのままの開度θ１を維持しＴｎ時間経過するのを待つ。Ｓ４５でＴｎ時間経過したらＳ４６において浴室内温度検出手段９７により検出した浴室内温度と予め記憶した規定温度ｔとを比較し浴室内温度＜ｔであればＳ４７にてルーバ６１を開度θ１とし、浴室内温度≧ｔであればＳ４８にてルーバ６１を開度θ２とする。
【００８８】
以上の動作により、運転初期においてルーバ６１を入浴者がミストの噴射の影響を最も受けない開度であるθ１にてミスト噴射を行うことができるので肌寒さや不快な気流感を与えることなく浴室内を快適なミストサウナ空間にすることができる。また、浴室内温度によりＴｎを可変するため、Ｔｎを最小限にすることができる。また、浴室内温度が低温時においてルーバ６１を入浴者がミストの噴射の影響を最も受けない開度であるθ１にてミスト噴射を行うことができるので、運転初期にかかわらず肌寒さや不快な気流感を与えることなく浴室内を快適なミストサウナ空間にすることができる。
【００８９】
なお、本実施例における規定温度ｔは入浴者がミストの噴射を受けても肌寒さや不快な気流感を感じない温度であり、本実施の形態では３０℃としている。
【００９０】
（実施の形態６）
実施の形態１〜５と同一部分は同一番号を附し、詳細な説明は省略する。この実施の形態におけるサウナ装置のルーバ制御方法の全体構成は図１と同じであるので説明は省略する。図１０は本発明の実施の形態６における電気系の構成を示す図である。
【００９１】
図１０は実施の形態１で説明した図３にミストノズルの噴射温度を検出するミストノズル噴射温度検出手段９８を設けたものである。なお図３と同じ符号のものは同じ機能を有するものなので説明を省略する。
【００９２】
以上の構成で図１１を用いて制御装置９０の動作を説明する。
【００９３】
図１１は循環ファン５１とミストノズル７２とルーバ６１の動作を説明するためのフローチャートである。
【００９４】
設定操作部９６でサウナモードが選択され、運転開始のスイッチが押されると、Ｓ５１において、ルーバ６１を開度θ１にて固定させる。次にＳ５２で循環ファン５１を駆動し、Ｓ５３で給水弁７１を駆動してミストノズル７２からミストを噴射する。次にＳ５４においてミストノズル噴射温度検出手段９８により検出したミストノズル噴射温度と予め記憶した規定温度ｔ１とｔ２とを比較しｔ１≦ミストノズル噴射温度≦ｔ２であればＳ５５にてルーバ６１を開度θ２とし、ミストノズル噴射温度＜ｔ１またはｔ２＜ミストノズル噴射温度であればＳ５６にてルーバ６１を開度θ１とする。ミストノズル噴射温度検出手段９８としては、ミストノズル噴射温度が検出できれば良く、例えば、サーミスタなどがある。
【００９５】
以上の動作により、ミストノズル噴射温度が低温時また高温時においてルーバ６１を入浴者がミストの噴射の影響を最も受けない開度であるθ１にてミスト噴射を行うことができるので、運転初期やミストノズル噴射温度が変動しても肌寒さや不快な気流感を与えることなく浴室内を快適なミストサウナ空間にすることができる。
【００９６】
なお、本実施例における規定温度ｔ１、ｔ２は入浴者がミストの噴射を受けても肌寒さや不快を感じないミストノズル噴射温度範囲の下限および上限値であり、本実施の形態でそれぞれ３０℃、６０℃としている。
【００９７】
（実施の形態７）
実施の形態１〜６と同一部分は同一番号を附し、詳細な説明は省略する。この実施の形態におけるサウナ装置のルーバ制御方法の全体構成は図１と同じであるので説明は省略する。図１２は本発明の実施の形態７における電気系の構成を示す図である。
【００９８】
図１２は実施の形態１で説明した図３にミストノズルの温度を検出するミストノズル温度検出手段９９を設けたものである。なお図３と同じ符号のものは同じ機能を有するものなので説明を省略する。本実施例でのミストノズル温度検出手段は例えばミストノズルに設けたサーミスタである。
【００９９】
以上の構成で図１３を用いて制御装置９０の動作を説明する。
【０１００】
図１３は循環ファン５１とミストノズル７２とルーバ６１の動作を説明するためのフローチャートである。
【０１０１】
設定操作部９６でサウナモードが選択され、運転開始のスイッチが押されると、Ｓ６１において、ルーバ６１を開度θ１にて固定させる。次にＳ６２で循環ファン５１を駆動し、Ｓ６３で給水弁７１を駆動してミストノズル７２からミストを噴射する。次にＳ６４においてミストノズル温度検出手段９９により検出したミストノズル噴射温度と予め記憶した規定温度ｔ１とｔ２とを比較しｔ１≦ミストノズル温度≦ｔ２であればＳ６５にてルーバ６１を開度θ２とし、ミストノズル温度＜ｔ１またはｔ２＜ミストノズル温度であればＳ６６にてルーバ６１を開度θ１とする。
【０１０２】
以上のようにミストノズル温度を検出することにより容易にミストノズル噴射温度を検知することができる。
【０１０３】
なお、本実施例における規定温度ｔ１、ｔ２は入浴者がミストの噴射を受けても肌寒さや不快を感じないミストノズル温度範囲の下限および上限値であり、本実施の形態でそれぞれ４０℃、７０℃としている。
【０１０４】
（実施の形態８）
実施の形態１〜７と同一部分は同一番号を附し、詳細な説明は省略する。この実施の形態におけるサウナ装置のルーバ制御方法の全体構成は図１と同じであるので説明は省略する。
【０１０５】
図１４は本発明の実施の形態８における電気系の構成を示す図である。
【０１０６】
図１４は実施の形態１で説明した図３に浴室内の温度を検出する浴室内温度検出手段９７およびミストノズル噴射温度を検出するミストノズル噴射温度検出手段９８を設けたものである。なお図３と同じ符号のものは同じ機能を有するものなので説明を省略する。
【０１０７】
以上の構成で図１５を用いて制御装置９０の動作を説明する。
【０１０８】
図１５は循環ファン５１とミストノズル７２とルーバ６１の動作を説明するためのフローチャートである。
【０１０９】
設定操作部９６でサウナモードが選択され、運転開始のスイッチが押されると、Ｓ７１において、ルーバ６１を開度θ１にて固定させる。次にＳ７２で循環ファン５１を駆動し、Ｓ７３で給水弁７１を駆動してミストノズル７２からミストを噴射する。Ｓ７４において表２を利用して浴室内温度検出手段９７により検出した浴室内温度より入浴者がミストの噴射を受けても肌寒さや不快を感じないミストノズル噴射温度範囲の下限および上限値ｔ１、ｔ２を選択する。
【０１１０】
次にＳ７５においてミストノズル噴射温度検出手段９８により検出したミストノズル噴射温度と表２より決定した温度ｔ１とｔ２とを比較しｔ１≦ミストノズル噴射温度≦ｔ２であればＳ７６にてルーバ６１を開度θ２とし、ミストノズル噴射温度＜ｔ１またはｔ２＜ミストノズル噴射温度であればＳ７７にてルーバ６１を開度θ１とする。
【０１１１】
浴室内温度よりミストノズル噴射温度範囲の下限および上限値ｔ１、ｔ２を選択することによりより快適なサウナ空間を提供できる。表２に、浴室内温度と入浴者が不快を感じない感じないミストノズル噴射温度の関係を示す。
【０１１２】
【表２】
0004720485.tif 000003
【０１１３】
（実施の形態９）
実施の形態１〜８と同一部分は同一番号を附し、詳細な説明は省略する。この実施の形態におけるサウナ装置のルーバ制御方法の全体構成は図１と同じであるので説明は省略する。
【０１１４】
図１６は本発明の実施の形態９における電気系の構成を示す図である。
【０１１５】
図１６は実施の形態１で説明した図３に浴室内の温度を検出する浴室内温度検出手段９７およびミストノズル温度を検出するミストノズル温度検出手段９９を設けたものである。なお図３と同じ符号のものは同じ機能を有するものなので説明を省略する。本実施例でのミストノズル温度検出手段は例えばミストノズルに設けたサーミスタである。
【０１１６】
以上の構成で図１７を用いて制御装置９０の動作を説明する。
【０１１７】
図１７は循環ファン５１とミストノズル７２とルーバ６１の動作を説明するためのフローチャートである。
【０１１８】
設定操作部９６でサウナモードが選択され、運転開始のスイッチが押されると、Ｓ８１において、ルーバ６１を開度θ１にて固定させる。次にＳ８２で循環ファン５１を駆動し、Ｓ８３で給水弁７１を駆動してミストノズル７２からミストを噴射する。Ｓ８４において表３を利用して浴室内温度検出手段９７により検出した浴室内温度より入浴者がミストの噴射を受けても肌寒さや不快を感じないミストノズル温度範囲の下限および上限値ｔ１、ｔ２を選択する。
【０１１９】
次にＳ８５においてミストノズル噴射温度検出手段９８により検出したミストノズル温度と表３より決定した温度ｔ１とｔ２とを比較しｔ１≦ミストノズル温度≦ｔ２であればＳ８６にてルーバ６１を開度θ２とし、ミストノズル温度＜ｔ１またはｔ２＜ミストノズル温度であればＳ８７にてルーバ６１を開度θ１とする。
【０１２０】
浴室内温度よりミストノズル温度範囲の下限および上限値ｔ１、ｔ２を選択することによりより快適なサウナ空間を提供できる。表３に、浴室内温度と入浴者が不快を感じない感じないミストノズル温度の関係を示す。
【０１２１】
【表３】
0004720485.tif 000004
【産業上の利用可能性】
【０１２２】
以上のように本発明のサウナ装置のルーバ制御方法は、簡単な構成で肌寒さや不快な気流感を与えることなく快適なミストサウナ空間を創り出すサウナ装置のルーバ制御方法を提供できるので、住居用のサウナ装置のルーバ制御方法はもとより、業務用などのサウナ装置のルーバ制御方法にも適用できる。
【図面の簡単な説明】
【０１２３】
【図１】本発明の実施の形態１の全体構成を示す図
【図２】同ミストノズルとルーバの動作を説明するための図
【図３】同電気系の構成を示す図
【図４】同循環ファンとミストノズルとルーバの動作を説明するためのフローチャート
【図５】同実施の形態２における電気系の構成を示す図
【図６】同循環ファンとミストノズルとルーバの動作を説明するためのフローチャート
【図７】同実施の形態３の循環ファンとミストノズルとルーバの動作を説明するためのフローチャート
【図８】同実施の形態４の循環ファンとミストノズルとルーバの動作を説明するためのフローチャート
【図９】同実施の形態５の循環ファンとミストノズルとルーバの動作を説明するためのフローチャート
【図１０】同実施の形態６における電気系の構成を示す図
【図１１】同実施の形態６の循環ファンとミストノズルとルーバの動作を説明するためのフローチャート
【図１２】同実施の形態７における電気系の構成を示す図
【図１３】同循環ファンとミストノズルとルーバの動作を説明するためのフローチャート
【図１４】同実施の形態８における電気系の構成を示す図
【図１５】同循環ファンとミストノズルとルーバの動作を説明するためのフローチャート
【図１６】同実施の形態９における電気系の構成を示す図
【図１７】同循環ファンとミストノズルとルーバの動作を説明するためのフローチャート
【符号の説明】
【０１２４】
５０  循環モータ
５１  循環ファン
６１  ルーバ
７１  給水弁
７２  ミストノズル
９０  制御装置
９７  浴室内温度検出手段
９８  ミストノズル噴射温度検出手段
９９  ミストノズル温度検出手段
【図１】
0004720485.tif 000005
【図２】
0004720485.tif 000006
【図３】
0004720485.tif 000007
【図４】
0004720485.tif 000008
【図５】
0004720485.tif 000009
【図６】
0004720485.tif 000010
【図７】
0004720485.tif 000011
【図８】
0004720485.tif 000012
【図９】
0004720485.tif 000013
【図１０】
0004720485.tif 000014
【図１１】
0004720485.tif 000015
【図１２】
0004720485.tif 000016
【図１３】
0004720485.tif 000017
【図１４】
0004720485.tif 000018
【図１５】
0004720485.tif 000019
【図１６】
0004720485.tif 000020
【図１７】
0004720485.tif 000021